(57)【要約】      （修正有）【課題】高い観賞効果を発揮し、また平衡フレームの中心軸上において装飾物を平衡に設置して装飾効果を増進することが可能重力平衡式コンパス装置を提供する。【解決手段】外承台１０、装飾容器２０、平衡フレーム３０、磁棒４０、及び指示針などの指示器５０を備えて構成され、装飾容器は外承台上に設置してその頂面上に頂尖台２３を配置している。平衡フレームは左右対称のコの字型フレームで、その両側フレームの底端に対称の設置フレームを設け、対称の重力物３３を設置している。磁棒は平衡フレーム上に水平に設置し、かつ磁棒の中間点は平衡フレームの中心軸３７に正対称し、平衡フレームの底面には頂尖３６を突出設置している。頂尖は平衡フレームの中心軸上に位置し、頂尖台上に定位し回転支点を形成し、指示器は磁棒上方に設置し、かつ指示器の指示方向は磁棒Ｓ極に対応する。【選択図】図２
0003119132.tif 000002
【実用新案登録請求の範囲】
【請求項１】
外承台と、装飾容器と、平衡フレームと、磁棒と、指示器とを備え、
前記外承台はフレーム体で、底台、上蓋及び該底台と、該上蓋間に設置するサポートフレームを有し、
前記装飾容器は水平に設置される透明ケース体で、その内部に装飾物を収容可能で、その頂面中央に凹槽を設置し、該凹槽内には頂尖台を配置し、前記頂尖台は逆円錐形のサポート面を有し、
前記平衡フレームは左右対称のコの字型フレームで、その両側フレームの底端には数個の対称の設置フレームを設置して対称の重力物を配置し、これにより平衡フレームは左右対称の安定平衡状態を呈し、かつ該平衡フレームの中間フレーム上には容槽を設置して磁棒を水平に配置し、かつ該平衡フレームの中間フレームの中心軸底面上には頂尖を突出設置し、該頂尖の尖端は前記頂尖台の逆円錐形のサポート面の中心上に定位して該平衡フレームの支点を形成して該平衡フレームを前記装飾容器上方に跨りオーバーハング状態で転動可能とし、
前記磁棒は前記平衡フレームの中間フレーム上に水平に設置し、かつ前記磁棒の中間点は浮体の中心軸線に正対応し、
前記指示器は前記平衡フレームの中間フレーム上に平行に水平設置し、かつ該指示器の指示方向は磁棒のS極に対応し、該指示器は磁棒に従って連動することを特徴とする重力平衡式コンパス装置。
【請求項２】
前記頂尖台は、耐磨耗金属材質により製造することを特徴とする請求項１記載の重力平衡式コンパス装置。
【請求項３】
前記重力物は、金属製の重りであることを特徴とする請求項１記載の重力平衡式コンパス装置。
【請求項４】
前記指示器下方には、目盛りを設置し、該目盛りは該指示器と連動し、かつ該目盛りの北方向は該指示器の指示方向と一致することを特徴とする請求項１記載の重力平衡式コンパス装置。
【請求項５】
前記装飾容器は、非封鎖式或いは封鎖式容器で、該封鎖式容器内には液体装飾物を収容可能であることを特徴とする請求項１記載の重力平衡式コンパス装置。
【請求項６】
前記液体装飾物は、単一液体型装飾物或いは2種類の液体型装飾物であることを特徴とする請求項１記載の重力平衡式コンパス装置。
【請求項７】
前記装飾容器底部には、数個のLEDを設置することを特徴とする請求項１記載の重力平衡式コンパス装置。
【請求項８】
前記平衡フレーム上には、さらに装飾物を設置可能であることを特徴とする請求項１記載の重力平衡式コンパス装置。
【請求項９】
前記装飾物は、ペン立て或いは温度計であることを特徴とする請求項８記載の重力平衡式コンパス装置。
【請求項１０】
前記装飾物は、前記平衡フレーム上の指示器の中心軸上に直接設置し、前記上蓋の中央孔を貫通し、該上蓋上方に露出することを特徴とする請求項８記載の重力平衡式コンパス装置。
【考案の詳細な説明】
【技術分野】
【０００１】
本考案は、重力平衡式コンパス装置に係り、特に左右対称で、かつ重力物を設置するコの字型平衡フレームを利用し、平衡フレーム中心軸上に水平の磁棒及び下方へと向かう頂尖を設置し、該頂尖は前記頂尖台上に定位して支点を形成し、コンパスとしての指示機能を達成しながら装飾効果を備えた重力平衡式コンパス装置に関する。
【背景技術】
【０００２】
現在目にする北を指す機能を備えたコパスの多くは、小型の封鎖ケース体を利用し、その表面にケース体内部を透視可能な窓を設置して、このケース体の内部に支軸を配置したものである。この支軸には、両端がN、S極に分かれた磁針を嵌設しているが、磁針と前記支軸間の軸磨擦力を最小にまで低下させる必要がある。このように前記磁針は、中心回転軸を備え、自由平衡状態を保ち、地球磁場を感知してコンパスとしての北を指す効果を発揮することができる。
【０００３】
しかしながら、従来のコンパスは、コンパスとしての機能しか備えず、かつ指針は小さく、また小型の封鎖ケース体内に設置しているため、机上の装飾物とはなり得ず、物足りなかった。
【考案の開示】
【考案が解決しようとする課題】
【０００４】
このように、従来のコンパスは、コンパスとしての機能しか有さず、また指針が小さくかつ小型の封鎖ケース体内に設置するため、机上の装飾物とはなり得ず、消費者に対するアピール性に欠けるという問題があった。
【０００５】
本考案は上記構造の問題点を解決した重力平衡式コンパス装置を提供するものである。
【課題を解決するための手段】
【０００６】
上記課題を解決するため、本考案の一態様による重力平衡式コンパス装置は、外承台と、装飾容器と、平衡フレームと、磁棒と、指示器とを備え、
前記外承台はフレーム体で、底台、上蓋及び該底台と、該上蓋間に設置するサポートフレームを有し、
前記装飾容器は水平に設置される透明ケース体で、その内部に装飾物を収容可能で、その頂面中央に凹槽を設置し、該凹槽内には頂尖台を配置し、前記頂尖台は逆円錐形のサポート面を有し、
前記平衡フレームは左右対称のコの字型フレームで、その両側フレームの底端には数個の対称の設置フレームを設置して対称の重力物を配置し、これにより平衡フレームは左右対称の安定平衡状態を呈し、かつ該平衡フレームの中間フレーム上には容槽を設置して磁棒を水平に配置し、かつ該平衡フレームの中間フレームの中心軸底面上には頂尖を突出設置し、該頂尖の尖端は前記頂尖台の逆円錐形のサポート面の中心上に定位して該平衡フレームの支点を形成して該平衡フレームを前記装飾容器上方に跨りオーバーハング状態で転動可能とし、
前記磁棒は前記平衡フレームの中間フレーム上に水平に設置し、かつ前記磁棒の中間点は浮体の中心軸線に正対応し、
前記指示器は前記平衡フレームの中間フレーム上に平行に水平設置し、かつ該指示器の指示方向は磁棒のS極に対応し、該指示器は磁棒に従って連動する。
【考案の効果】
【０００７】
本考案の重力平衡式コンパス装置によれば、矢印などの各種形状にデザインされる指示器を外部に配置するようにしたため、高い観賞効果を発揮し、また平衡フレームの中心軸上において、ペン立て及びペン、或いは温度計などの装飾物を平衡に設置して装飾効果を増進することが可能である。
【考案を実施するための最良の形態】
【０００８】
以下、図面を参照して本考案の実施例を説明する。
【実施例】
【０００９】
図1、2及び3に示すように、本考案の実施例１のコンパス装置1は、外承台10、装飾容器20、平衡フレーム30、磁棒40、及び指示針形状などの指示器50を備えて構成されている。
【００１０】
前記外承台10の形状には制限はないが、透明のプラスチック材質による射出成型により製造する底台11及び上蓋13などを利用して、内部を透視可能としたものであることが望ましい。このような構成により前記上蓋13は、前記底台11の二本の対称サポートフレーム12上において構造体を構成し、かつ透明の上蓋13より下方を透視可能となる(図1、4参照)。また、前記底台11上には、凹槽14を設置して、前記装飾容器20を配置可能としている。
【００１１】
前記装飾容器20は、水平に設置するケース体で、その外形形状に制限はないが、透明体であることが望ましい。透明体であることにより、その内部に各類装飾物21を配置し、外に向かって展示することができる(図4参照)。また、前記装飾容器20の頂面中央には、凹槽22を設置し、該凹槽22内には頂尖台23を配置している。この頂尖台23は、耐磨耗金属材により製造することが望ましく、逆円錐形のサポート面24を有している。
【００１２】
前記平衡フレーム30は、左右（水平）対称のコの字型フレームで、その両側フレーム31は適当な長さだけ下方へと延伸している。該両側フレーム31の底端には、数個の対称の設置フレーム32を配置し、該設置フレーム32内には対称の金属重り体などの重力物33を設置することができる。これにより前記平衡フレーム30は左、右（水平）の安定平衡状態を呈することができる。
【００１３】
前記磁棒40は、前記平衡フレーム30の中間フレーム34上に容槽35を設置し、前記磁棒40を配置するなど、該平衡フレーム30上の適当な位置に水平に設置している。かつ、前記磁棒40の中間点41（すなわちN、S極の境界線）は、前記平衡フレーム30の中心軸37に正対称となっている。
【００１４】
また、前記平衡フレーム30の容槽35底面には、頂尖36を突出設置している。この頂尖36は、前記平衡フレーム30の中心軸37上に位置し、該頂尖36の尖端は前記頂尖台23の逆円錐形のサポート面24中心上に定位し、該平衡フレーム30の平衡支点としている。すなわち、該平衡フレーム30は、両側フレーム31底端の重力物33の安定平衡作用及び該頂尖36が該頂尖台23上に定位される低磨擦力支点作用により、該平衡フレーム30は該装飾容器20上方を跨りオーバーハング状態で転動するようになっている。こうして、前記該磁棒40は、ほぼ自由状態を呈し、地球磁場を感知してコンパスの北を指す機能を発揮し、前記平衡フレーム30は前記磁棒40に従い連動作動して、コンパスの北を指す機能を達成する。
【００１５】
前記指示器50は、前記平衡フレーム30の中間フレーム34上に水平に平衡設置され、該平衡フレーム30と連動するようになっている。また、前記指示器50は、個人の好みに応じて、図2、6に示すように矢印式などの各種形状の指示マークにデザインすることができる。こうして前記指示器50の指示方向51（矢印の先端など）は、前記磁棒40のS極に対応し、該指示器50は前記磁棒40に従い連動して、北方向に停止するようになっている。
【００１６】
前記指示器50は、多様に設計されるため、その形体は従来のコンパスの磁針より大きく、かつ外部に対して目立つ位置に設置するため、使用者はこの指示器50のコンパス機能をはっきりと確認することができる。このようにしてケース体内部に小型磁針を設置するだけの従来のコンパスの欠点を改善し、観賞効果を増進することができる。
【００１７】
また、前記指示器50は、目盛り52を設置することができる。該目盛り52は、前記指示器50下方に設置して、該指示器50と連動し、この目盛り52の北方向（N方向）は前記指示器50の指示方向51に正対応している。すなわち、使用者は透明上蓋13を通して、図1、4に示すように指示器50及び目盛り52を読み取ることができ、こうして目盛り52により東西南北方向及び各方位の細分角度を知ることができる。
【００１８】
前記装飾容器20は、透明の封鎖式或いは非封鎖式容器とすることができ、その内部に収容する装飾物21の種類は多様化可能である。前記装飾物21は、一般の装飾物或いは液体装飾物で、該液体装飾物は単一液体型装飾物或いは2種類の液体型装飾物とすることができる。2種類の液体型装飾物は水、油（ホワイトパラフィンなど）の2種類の液体と直立に液面上に浮かぶ漂浮物(図4参照)で、前記装飾容器20底部には数個のLED（発光ダイオード）を設置し、灯光効果を加えることもできる。
【００１９】
図5、6に示すように、前記平衡フレーム30上には、装飾物60を平衡に載せることができる。この装飾物60は、ペン立て61で筆記具62を挿入し、或いは温度計或いはその他の適用物品（図示なし）とすることができる。前記装飾物60がペン立て61であるなら、直接該平衡フレーム30上の指示器50の中心軸上に設置し、前記上蓋13の中央孔15を貫通し、該上蓋13上方に露出して、装飾効果を増進することができる。
【図面の簡単な説明】
【００２０】
【図１】本考案実施例１の立体外観図である。
【図２】図1の分解図である。
【図３】図1の側面断面図である。
【図４】本実施例の使用状態図である。
【図５】本実施例の別種の使用状態図である。
【図６】図5の分解図である。
【符号の説明】
【００２１】
1  コンパス装置
10  外承台
11  底台
12  サポートフレーム 
13  上蓋
14  凹槽
15  中央孔
20  装飾容器
21  装飾物
22  凹槽
23  頂尖台
24  サポート面
30  平衡フレーム
31  側フレーム
32  設置フレーム
33  重力物
34  中間フレーム
35  容槽
36  頂尖
37  中心軸
40  磁棒
41  中間点
50  指示器
51  指示方向
52  目盛り
60  装飾物
61  ペン立て
62  筆記具
【図１】
0003119132.tif 000003
【図２】
0003119132.tif 000004
【図３】
0003119132.tif 000005
【図４】
0003119132.tif 000006
【図５】
0003119132.tif 000007
【図６】
0003119132.tif 000008